(57)【要約】【課題】エレベータ乗りかごの移動検知による誤動作を抑制できる照明装置を提供する。【解決手段】エレベータ昇降路２２に壁面１２ａを隔てて隣接した非常階段室１２に設置され、人の移動を検知したことにより点灯状態が制御される照明装置１０である。照明装置１０は、非常階段室１２を照明可能な照明部と、人が移動する非常階段室１２を検知領域３８とするように方向づけられた電波式の第１センサＡと、エレベータ昇降路２２内を移動する乗りかご２４を検知するように方向づけられた第２センサＢと、第１および第２センサＡ，Ｂの検知結果に基づいて照明部の点灯状態を制御する制御部とを備える。【選択図】図１
2018116886.tif 000002
【特許請求の範囲】
【請求項１】
エレベータ昇降路に近接したエリアに設置され、人の移動を検知したことにより点灯状態が制御される照明装置であって、
前記エリアを照明可能な照明部と、
人が移動する前記エリアを検知領域とするように方向づけられた電波式の第１センサと、
前記エレベータ昇降路内を移動する乗りかごを検知するように方向づけられた第２センサと、
前記第１および第２センサの検知結果に基づいて前記照明部の点灯状態を制御する制御部と、
を備える、照明装置。
【請求項２】
前記制御部は、前記第１センサが人を検知し、かつ、前記第２センサが前記エレベータ昇降路内を移動する乗りかごを検知しないとき、前記照明部を点灯するか又は高照度に調光する、請求項１に記載の照明装置。
【請求項３】
前記照明装置による光出射方向を前方としたとき前記第１センサは前記エリアが位置する前方に向けて設置され、前記第２センサは前記照明装置の後方に位置する前記エレベータ昇降路に向けて設置される、請求項１または２に記載の照明装置。
【請求項４】
前記第１センサは前記エリアが位置する正面前方側に向けて設置され、前記第２センサは前記エリアに対して側方に位置する前記エレベータ昇降路の方向である斜め前方側に向けて設置される、請求項１または２に記載の照明装置。
【請求項５】
前記第２センサは、前記第１センサと同じ電波式のセンサである、請求項１〜４のいずれか一項に記載の照明装置。
【請求項６】
前記エリアと前記エレベータ昇降路とは壁面により隔てられており、
前記第１および第２センサは、前記照明装置に設けられており、
前記第２センサは、前記壁面を通じて前記乗りかごを検知するように方向づけられて設けられる、請求項５に記載の照明装置。
【請求項７】
前記第２センサは、振動センサである、請求項１〜４のいずれか一項に記載の照明装置。
【発明の詳細な説明】
【技術分野】
【０００１】
本開示は、照明装置に関する。
【背景技術】
【０００２】
従来、センサで人を検知したことにより点灯状態が制御される照明装置が知られている。例えば、下記特許文献１には、階段や踊り場において人の存在をセンサで検知したとき、踊り場の壁面に設置された照明器具を点灯させるように制御する照明器具が記載されている。
【先行技術文献】
【特許文献】
【０００３】
【特許文献１】特開平９−３０４５４８号公報
【発明の概要】
【発明が解決しようとする課題】
【０００４】
ところで、照明装置の点灯状態を制御するための人感センサとして電波式センサが用いられることがある。電波式センサは、ミリ波センサあるいはマイクロ波センサとも呼ばれる。このような電波式センサは、熱線式の人感センサに比べて、環境条件（温度、湿度等）の影響を受けにくく、人を精度よく検知することができる。
【０００５】
しかしながら、電波式センサから照射される電波は、金属物体では反射するが、建物の壁を透過する。そのため、照明装置が設置されたエリアに壁を隔ててエレベータが設置されている場合、電波式センサがエレベータ乗りかごの移動を人の移動と誤検知して照明装置を点灯させることがある。
【０００６】
具体的には、電波式センサを搭載した照明装置が建物内の非常階段の照明灯として用いられる場合、金属製の階段部分で反射した電波がコンクリート、石膏ボード等の壁を透過して、隣接するエレベータ昇降路内を移動する乗りかごを検知することがある。この場合、エレベータ乗りかごを人の移動と誤検知して照明装置を点灯させると、無駄な点灯動作が起きることになる。
【０００７】
本開示の目的は、エレベータ乗りかごの移動検知による誤動作を抑制できる照明装置を提供することにある。
【課題を解決するための手段】
【０００８】
本開示に係る照明装置は、エレベータ昇降路に近接したエリアに設置され、人の移動を検知したことにより点灯状態が制御される照明装置であって、前記エリアを照明可能な照明部と、人が移動する前記エリアを検知領域とするように方向づけられた電波式の第１センサと、前記エレベータ昇降路内を移動する乗りかごを検知するように方向づけられた第２センサと、前記第１および第２センサの検知結果に基づいて前記照明部の点灯状態を制御する制御部と、を備える。
【発明の効果】
【０００９】
本開示に係る照明装置によれば、エリア内の人の移動を検知する電波式の第１センサに加えて、エレベータ昇降路内を移動する乗りかごを検知するように方向づけられた第２センサを設けたことで、人の移動と乗りかごの移動とを切り分けて検知することができる。したがって、電波式の第１センサでエレベータ乗りかごの移動が検知された場合でも、照明装置の無駄な点灯を抑制することができ、その結果、センサによる照明省エネ制御を効果的に実行できる。
【図面の簡単な説明】
【００１０】
【図１】第１実施形態の照明装置を示す（ａ）上面図と、（ｂ）側面図である。
【図２】図１に示した照明装置の機能ブロック図である。
【図３】照明装置の制御部において実行される処理を示すフローチャートである。
【図４】第１および第２センサの検知信号、制御部の出力信号、および、照明部であるＬＥＤの動作状態を例示するタイミングチャートである。
【図５】第２実施形態の照明装置を示す上面図である。
【発明を実施するための形態】
【００１１】
以下に、本発明に係る実施の形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１２】
以下の実施形態では、照明装置が非常階段の照明灯として用いられる例について説明するが、これに限定されるものではなく、本開示の照明装置は、建物内の他のエリア（例えば、廊下、室内、ロビー等）に用いられてもよい。
【００１３】
＜第１実施形態＞
図１は、第１実施形態の照明装置１０を示す（ａ）上面図と、（ｂ）側面図である。図１に示すように、照明装置１０は、建物内の非常階段室１２に設置されている。非常階段室１２の四方は、例えば、コンクリート、石膏ボード等で構成される壁面１２ａ，１２ｂ，１２ｃ，１２ｄによって囲まれている。これらの壁面１２ａ，１２ｂ，１２ｃ，１２ｄによって非常階段室１２は、閉空間として形成されている。そのうち１つの壁面１２ｃには、非常口となるドア１３が開閉可能に設けられている。
【００１４】
非常階段室１２には、折り返し階段からなる非常階段１４が設置されている。非常階段１４は、下層階１６ａとこれより１階上の上層階１６ｂとの間に、一組の階段部２０ａ，２０ｂと、これらの階段部２０ａ，２０ｂの間に設置される踊り場１８とを含む。階段部２０ａ，２０ｂは、例えば金属製のものであってもよい。階段部２０ａは、下層階１６ａと踊り場１８とを接続する。階段部２０ｂは、踊り場１８と上層階１６ｂとを接続する。このような構成の非常階段１４が建物内の全階にわたって設置されている。
【００１５】
照明装置１０は、非常階段室１２の壁面１２ａ，１２ｂ，１２ｃ，１２ｄのうち、踊り場１８に面した壁面１２ａ上に配設されている。照明装置１０は、下層階１６ａと、上層階１６ｂと、その間の階段部２０ａ，２０ｂおよび踊り場１８とを照明可能になっている。図示していないが、照明装置１０は、各階の間に位置する全ての踊り場１８にそれぞれ設置されている。
【００１６】
また、照明装置１０が設置される建物には、非常階段室１２に壁面１２ａを隔ててエレベータ昇降路２２が設けられている。エレベータ昇降路２２内には、エレベータ乗りかご２４が昇降移動可能に設置されている。本実施形態では、照明装置１０による光出射方向を前方としたとき、照明装置１０の前方に非常階段１４が設置され、照明装置１０の後方に壁面１２ａを隔ててエレベータ昇降路２２が設置されている。
【００１７】
図２は、照明装置１０の機能ブロック図である。図２に示すように、照明装置１０は、電源回路２６と、ＬＥＤ（Light Emitting Device）（照明部）２８と、制御部３０と、センサＡ（第１センサ）およびセンサＢ（第２センサ）を備える。本実施形態では、電源回路２６、ＬＥＤ２８、制御部３０および各センサＡ，Ｂが一体となって照明装置１０を構成している。照明装置１０の電源回路２６には、照明装置１０の外部にある交流電源（例えば商用交流電源）ＰＳから交流電圧が供給される。なお、本開示における照明部は、ＬＥＤに限定されるものではなく、例えば蛍光灯等の他の照明具を用いてもよい。
【００１８】
電源回路２６は、ＡＣ／ＤＣコンバータ、電流制御回路等を含む。外部から供給された交流電圧がＡＣ／ＤＣコンバータによって直流電圧に変換されてＬＥＤ２８に印加される。これにより、ＬＥＤ２８が発光する。すなわち、照明装置１０が点灯する。また、照明装置１０は、電源回路２６に含まれる電流制御回路によってＬＥＤ２８に流れる電流を調整できる。これにより、照明装置１０の照度を変更することができる。
【００１９】
制御部３０は、信号線３２を介して電源回路２６に電気的に接続されている。また、制御部３０は、信号線３４，３６を介してセンサＡおよびセンサＢにそれぞれ電気的に接続されている。センサＡおよびセンサＢの各検知信号は、信号線３４，３６を介して制御部３０に送信される。制御部３０は、これらの検知信号に基づいて、ＬＥＤ２８の点灯消灯を制御する制御信号を電源回路２６に送信する。
【００２０】
本実施形態では、センサＡは、電波式の人体検知センサである。センサＡからは、例えば、２４ＧＨｚのマイクロ波が発信される。本実施形態では、センサＢもまた、センサＡと同じ電波式のセンサで構成されている。センサＢは、非常階段室１２に壁面１２ａを隔てて近接するエレベータ昇降路２２内を移動する乗りかご２４を検知するために設けられている。
【００２１】
再び図１を参照すると、照明装置１０のセンサＡは、人が移動するエリアを検知領域とするように方向づけられている。具体的には、センサＡは、照明装置１０の前方側である踊り場１８および階段部２０ａ，２０ｂに向けてマイクロ波を発信する。このマイクロ波が上面視および側面視でそれぞれ略扇状に照射される領域が、センサＡの検知領域３８となる。
【００２２】
これに対し、センサＢは、エレベータ昇降路２２内を移動する乗りかご２４を検知するように方向づけられている。具体的には、センサＢは、壁面１２ａを通じて、照明装置１０の後方に位置するエレベータ昇降路２２内に向けてマイクロ波を発信する。このマイクロ波が上面視および側面視でそれぞれ略扇状に照射される領域が、センサＢの検知領域４０となる。このようにセンサＢによる検知領域４０は、センサＡによる検知領域３８に対して反対方向に広がって生成される。
【００２３】
続いて、図３を参照して、上記構成からなる照明装置１０の動作を説明する。図３は、照明装置１０の制御部３０において実行される処理を示すフローチャートである。制御部３０は、図３に示す処理を所定時間（例えば１秒など）毎に実行する。なお、以下では、センサＡによって人の移動が検知されない場合は、照明装置１０が消灯状態にあることを前提に説明する。
【００２４】
図３に示すように、まず、制御部３０は、ステップＳ１０において、センサＡが人を検知したか否かを判断する。ここで肯定判定（ＹＥＳ）されると、制御部３０は、ステップＳ１２に進み、他方、否定判定（ＮＯ）されると処理を終了する（エンド処理）。
【００２５】
制御部３０は、ステップＳ１０において肯定判定された場合、すなわち、センサＡの検知領域内で人の移動が検知された場合、続くステップＳ１２において、センサＢがエレベータ乗りかご２４を検知していないか否かを判断する。ここで肯定判定（ＹＥＳ）されると、制御部３０は、続くステップＳ１４において、ＬＥＤ２８を点灯させる。
【００２６】
より詳しくは、制御部３０は、ＬＥＤ２８を点灯させるための制御信号を電源回路２６に出力する。この制御信号を受けて、電源回路２６は、ＬＥＤ２８に直流電圧を印加することにより点灯させる。電源回路２６は、この点灯状態を所定時間（例えば１分間等）保持する。この「所定時間」は、予め設定された時間として、制御部３０に含まれるＲＯＭ等の記憶部に記憶されている。
【００２７】
他方、制御部３０は、上記ステップＳ１２において否定判定（ＮＯ）された場合、続くステップＳ１６において、ＬＥＤ２８を消灯させる。より詳しくは、制御部３０は、ステップＳ１２において否定判定された場合、すなわち、センサＢによってエレベータ乗りかご２４が検知された場合、ステップＳ１６においてＬＥＤ２８を消灯状態または非作動状態に維持する。
【００２８】
そして、制御部３０は、ステップＳ１４またはＳ１６の処理を実行した後、図３に示す処理を終了する（エンド処理）。
【００２９】
このように本実施形態の照明装置１０では、センサＢでエレベータ乗りかご２４の移動が検知された場合には、センサＡで人の移動が検知された場合でも、ＬＥＤ２８を非作動状態にする。すなわち、照明装置１０を点灯させない。これにより、電波式のセンサＡで検知された人の移動がエレベータ乗りかご２４の移動による誤検知である場合に、照明装置１０を消灯状態に維持して、無駄な点灯動作を抑制することができる。その結果、センサによる照明省エネ制御を効果的に実行することができる。
【００３０】
図４は、センサＡ，Ｂの検知信号、制御部３０の出力信号、および、ＬＥＤ２８の動作状態を例示するタイミングチャートである。図４において横軸は時間を表す。
【００３１】
図４に示すように、時間ｔ1でセンサＢによってエレベータ乗りかご２４が検知され、その後、時間ｔ2でセンサＡによってエレベータ乗りかご２４の影響による検知信号が生成されることがある。この場合、制御部３０は、センサＢによる検知信号はマイクロ波の反射等に起因してエレベータ乗りかご２４を人の移動と誤検知したと判断し、ＬＥＤ２８を点灯させない制御を実行する。
【００３２】
これに対し、時間ｔ3でセンサＡによって人の移動が検知され、かつ、センサＢでエレベータ乗りかご２４が検知されていない場合、制御部３０は、制御信号を電源回路２６に出力する。この制御信号を受けて、電源回路２６は、ＬＥＤ２８を所定時間だけ点灯させる。この場合において、時間ｔ3から少し遅れた時間ｔ4でセンサＢによってエレベータ乗りかご２４が検知された場合、センサＡとセンサＢによる各検知信号が重なる時間帯が存在することになる。この場合、図３の処理に従えば、ステップＳ１０でＹＥＳ、ステップＳ１２でＮＯと判定されてステップＳ１６の消灯処理が実行されることになる。しかし、上述したようにＬＥＤ２８の点灯状態は、時間ｔ3からｔ5までの所定時間だけ保持されるため、実用上の問題は生じない。
【００３３】
上述したように、本実施形態は、エレベータ昇降路２２に壁面１２ａを隔てて隣接したエリア１４に設置され、人の移動を検知したことにより点灯状態が制御される照明装置１０であって、エリア１４を照明可能な照明部２８と、人が移動するエリア１４を検知領域３８とするように方向づけられた電波式の第１センサＡと、エレベータ昇降路２２内を移動する乗りかご２４を検知するように方向づけられた第２センサＢと、第１および第２センサＡ，Ｂの検知結果に基づいて照明部２８の点灯状態を制御する制御部３０とを備える。
【００３４】
この構成によれば、エリア１４内の人の移動を検知する電波式の第１センサＡに加えて、エレベータ昇降路２２内を移動する乗りかご２４を検知するように方向づけられた第２センサＢを設けたことで、人の移動と乗りかごの移動とを切り分けて検知することができる。したがって、電波式の第１センサＡでエレベータ乗りかご２４の移動が検知された場合でも、照明装置の無駄な点灯を抑制することができ、その結果、センサによる照明省エネ制御を効果的に実行できる。
【００３５】
本実施形態の照明装置１０において、制御部３０は、第１センサＡが人を検知し、かつ、第２センサＢがエレベータ昇降路２２内を移動する乗りかご２４を検知しないとき、照明部２８を点灯する。そのため、より確実に人の移動を検知して照明装置を点灯させることができる。
【００３６】
また、本実施形態の照明装置１０において、第１センサＡはエリア１４が位置する前方に向けて設置され、第２センサＢは照明装置１０の後方に位置するエレベータ昇降路２２に向けて設置されている。そのため、第２センサＢによってエレベータ乗りかご２４の移動を正確に検知することができる。
【００３７】
さらに、本実施形態の照明装置１０において、第２センサＢは、第１センサＡと同じ電波式のセンサであるため、検知結果の比較を容易かつ正確に行うことができ、人の検知と乗りかごの検知との切り分けを確実に行うことができる。
【００３８】
＜第２実施形態＞
次に、図５を参照して、第２実施形態の照明装置１０ａについて説明する。図５は、第２実施形態の照明装置１０ａを示す上面図である。以下では、上述した第１実施形態と同一の構成要素については同一の参照符号を付して説明を省略する。
【００３９】
図５に示すように、本実施形態の照明装置１０ａでは、センサＡは非常階段１４が位置する正面前方側に向けて設置され、センサＢは非常階段１４に対して側方に位置するエレベータ昇降路２２の方向である斜め前方側に向けて設置されている。より詳しくは、センサＡの検知領域３８は、非常階段１４に向けて方向づけられ、センサＢによる検知領域４０は、非常階段室１２の側方の壁面１２ｄを隔てて隣接するエレベータ昇降路２２に向けて方向づけられている。なお、照明装置１０ａの他の構成は、第１実施形態の照明装置１０と同様である。
【００４０】
本実施形態の照明装置１０ａによっても、第１実施形態の照明装置１０と同様の効果を奏することができる。すなわち、照明装置１０ａによれば、非常階段１４における人の移動と、非常階段室１２の側方に壁面１２ｄを隔てて隣接するエレベータ昇降路２２内におけるエレベータ乗りかご２４の移動とを切り分けて検知することができる。したがって、電波式のセンサＡでエレベータ乗りかご２４の移動が検知された場合でも、照明装置１０ａの無駄な点灯を抑制することができ、その結果、センサによる照明省エネ制御を効果的に実行できる。
【００４１】
なお、本開示に係る照明装置は、上述した実施形態およびその変形例に限定されるものではなく、本願の特許請求の範囲に記載された事項およびその均等な範囲内において種々の変更や改良が可能である。
【００４２】
例えば、上記では、センサＡで人の移動を検知し且つセンサＢでエレベータ乗りかご２４を検知しないとき、消灯状態にあった照明装置１０，１０ａを点灯させる例について説明したが、これに限定されるものではない。照明装置は、定常状態では低照度で点灯した状態にあり、センサＡで人の移動を検知し且つセンサＢでエレベータ乗りかご２４を検知しないとき高照度に調光されてもよい。
【００４３】
また、上記においては、２つのセンサＡ，Ｂと照明部２８とが一体的に組み合わされた照明装置１０，１０ａについて説明したが、これに限定されるものではない。図２中の二点鎖線で示すように、照明装置において、センサＡ，Ｂを含む部分と、電源回路２６、ＬＥＤ２８および制御部３０を含む部分とを別体に構成し、非常階段室１２において別々の場所に設置してもよい。
【００４４】
さらに、上記においては、エレベータ乗りかご２４を検知するセンサＢがセンサＡと同じ電波式センサで構成される例について説明したが、これに限定されるものではない。センサＢは、振動センサによって構成されてもよい。この場合、振動センサには、例えば圧電式振動センサ等を好適に用いることができる。振動センサからなるセンサＢは、エレベータ昇降路の方向から伝わる振動をより正確に検知できるように方向づけられて設置される。
【符号の説明】
【００４５】
１０，１０ａ  照明装置、１２  非常階段室、１２ａ〜１２ｄ  壁面、１４  非常階段（エリア）、１８  踊り場、２０ａ，２０ｂ  階段部、２２  エレベータ昇降路、２６  電源回路、２８  ＬＥＤ（照明部）、３０  制御部、３８  （センサＡの）検知領域、４０  （センサＢの）検知領域、Ａ  センサ（第１センサ）、Ｂ  センサ（第２センサ）。
【図１】
2018116886.tif 000003
【図２】
2018116886.tif 000004
【図３】
2018116886.tif 000005
【図４】
2018116886.tif 000006
【図５】
2018116886.tif 000007